(57)【要約】【課題】  安価で若年者や高齢者でも手軽に使用することができ、かつ使用者が自分の体重の掛け方を細かく調整して、最適な状態で患部に治療を施すことができる指圧器具を提供する。【解決手段】  布製の長尺袋体２に所要の空気封入ボール３、３…を複数個内装し、当該各ボール３の位置する袋体２の長手方向前後をそれぞれ絞り込んで、各ボール３を所定位置に固定した。  上記空気封入ボール３を、長尺袋体２の長手方向任意部位で固定位置調整自在に内装した。【選択図】  図１
0003103864.tif 000002
【実用新案登録請求の範囲】
【請求項１】
布製の長尺袋体に所要の空気封入ボールを複数個内装し、当該各ボールの位置する袋体の長手方向前後をそれぞれ絞り込んで、各ボールを所定位置に固定したことを特徴とする指圧器具。
【請求項２】
上記空気封入ボールは、長尺袋体の長手方向任意部位で固定位置調整自在に内装されていることを特徴とする請求項１記載の指圧器具。
【考案の詳細な説明】
【技術分野】
【０００１】
本考案は、肩や腰など身体のツボを押圧して治療を施す指圧器具に係り、特に使用者本人の体重（自重）を有効に利用して経穴指圧効果を得ることができる指圧器具に関するものである。
【背景技術】
【０００２】
従来、肩こりや腰痛などの治療具として、複数の突起を設けたローラを当該患部に電動あるいは手動で押し当てるものや、椅子形式の装置に着座した状態で、電動による複数の押圧、揉み動作の組み合わせにより患部の治療を行うように構成した指圧器具やマッサージ具（装置）が一般に知られている。
【０００３】
しかしながら、上記従来の指圧器具では、電動構成にあっては、患部の状態に個人差があっても、それに適した押圧力の微調整が困難である上、装置が複雑で高価となり、また手動構成にあっては、片手あるいは両手により絶え間なく押圧力を長時間に亘って患部に与え続けなければならないため、操作者本人が手動操作自体に疲れてしまう、という欠点を有するものであった。
【０００４】
また、従来構成のものでは、短時間で指圧効果を得るために、比較的固い突起により患部を押圧するように構成されており、一般成人には適しているとしても、若年者や高齢者には物理的な刺激が強すぎてしまい、当該者にも手軽に使用することができ、適度で心地よい指圧感が得られるマッサージ具の出現が熱望されていた。
【特許文献１】特開２００１−２９４１１
【特許文献２】特開２００１−１１２８２９
【考案の開示】
【考案が解決しようとする課題】
【０００５】
本考案は、上記の如き実状に鑑み従来のマッサージ具としての機能を踏襲しつつ、安価で若年者や高齢者でも手軽に使用することができ、かつ使用者が自分の体重の掛け方を細かく調整して、最適な状態で患部に治療を施すことができる指圧器具を提供しようとするものである。
【課題を解決するための手段】
【０００６】
上記課題を解決するため、本考案が採用した第１の技術手段は、布製の長尺袋体に所要の空気封入ボールを複数個内装し、当該各ボールの位置する袋体の長手方向前後をそれぞれ絞り込んで、各ボールを所定位置に固定したことを特徴とするものである。
【０００７】
本考案が採用した第２の技術手段は、上記空気封入ボールは、長尺袋体の長手方向任意部位で固定位置調整自在に内装されていることを特徴とするものである。
【考案の効果】
【０００８】
したがって本考案によれば、肩こり、腰痛などの患部を治療したい使用者が、椅子に腰掛けた状態、あるいはベッドに身を横に倒した状態で、所望の患部部位に指圧器具の空気封入ボールを挟み込めば良い。
【０００９】
この時、上記空気封入ボールは、使用者の体重の掛け方を強くすれば、患部への押圧力が増大し、また体重の掛け方を弱くすることにより患部への押圧力を減少させることができると共に、空気封入ボール自体が軟性を有しているので、患部への痛みを感じることなく治療を続行することができ、マッサージ具に対して不意に外力が作用した際にも、患部を痛めたりすることがない。
【００１０】
また、上記のように空気封入ボールを介して体重を掛けた状態で、身体を上下方向あるいは左右水平方向に微動させると、空気封入ボールが適宜に回転移動して当該患部の近傍に対しても適度な押圧力を作用させることができる。
【００１１】
更に、上記指圧器具は、使用者本人の手を使って使用する必要がないので、長時間に亘る使用でも使用者に疲労を感じさせることがなく、若年者や高齢者が使用する場合でも、指圧マッサージに要する体力的負担を大幅に軽減することができる。
【考案を実施するための最良の形態】
【００１２】
布製の長尺袋体に所要の空気封入ボールを複数個内装し、当該各ボールの位置する袋体の長手方向前後をそれぞれ絞り込んで、各ボールを所定位置に固定した。
【実施例１】
【００１３】
本考案の構成を、図面に示した実施例に基いて詳細に説明する。
図１において、１は本考案の指圧器具であって、該指圧器具１は、化学繊維からなる布製の長尺袋体２に、空気封入ボール３、３…を複数個内装し、当該各ボール３の位置する袋体２の長手方向前後には、弾性ゴム製の止めベルト４、４…が着脱自在に装着されて袋体２の当該部位を絞り込み、各ボール３を所定位置に固定するように構成されている。
【００１４】
また、上記長尺袋体２の両端開口部２ａ、２ａは茶巾状に開閉可能になっており、指圧器具１の使用者が、本人の好みあるいは患部の箇所数に応じてボール３の個数を増減することができると共に、上記ボール３の固定位置は、袋体２の任意位置に位置決めした後に前記止めベルト４、４…で固定することにより、内装された複数のボール３の間隔を使用目的に応じて最適な状態に固定位置調整できるようになっている。
【００１５】
そして上記長尺袋体２の両端開口部２ａ、２ａに至る袋体部位２ｂ、２ｂは、取手部として兼用できるようになっており、両手で把持して背中側の経穴指圧位置にボール３、３…を位置させたり、該ボール３、３…の押し当て位置の移動を行う場合や、片手で両袋体部位２ｂ、２ｂを把持してボール３、３…を背中の経穴指圧位置を叩いたり、等の使用者の目的に応じた広範囲な利用形態を採ることができる構成となっている。
【００１６】
一方、前述の指圧器具１の構成に代えて、図２に示すように、取手部として兼用する袋体部位２ｂ、２ｂを設けない構成の指圧器具１´とすることも可能である。すなわち、該指圧器具１´では、布製の長尺袋体２に空気封入ボール３、３…を複数個内装し、当該各ボール３の位置する袋体２の長手方向前後と袋体２の両端開口部２ａ、２ａを、弾性ゴム製の止めベルト４、４…で着脱自在に絞り込むと共に、袋体２に内装した各ボール３、３…は、任意位置に位置決めした後に止めベルト４、４…で固定され、ボール３の固定位置間隔を使用目的に応じて最適な状態に位置調整できるものである。
【００１７】
本考案は叙上の如く構成されているから、経穴指圧位置の治療を施す場合には、図３（ａ）に示すように、敷き布団５の上面に指圧器具１を予め経穴指圧位置に載置し、その上に使用者が仰向けに寝ることにより、当該使用者の体重が、指圧器具１の各ボール３、３…との間に作用して、経穴指圧位置に押圧力がかかることになる。この時、上記各ボール３、３…は、適宜の指圧力を保持しながら使用者の体重により緩やかに変形するため、例えば、この状態で使用者が就寝してもボール３に押圧された身体部位に押しつけ痕が残ったり、血行不良を起こすようなことがない。なお同図に示すように、複数の指圧器具１を身体の背部と下肢部に同時に使用することも可能である。
【００１８】
また、同図（ｂ）に示すように、椅子６に使用者が着座した場合には、その背部と背もたれ６ａとの間に指圧器具１´を挟み込み、背部および腰部の経穴指圧位置に各ボール３、３…の押圧力を作用させるように使用すれば良い。この場合、使用者は背もたれ６ａに対する体重の掛け方を本人自身が増減調整することにより、経穴指圧位置に対する適正な押圧力を得ることができる。
【００１９】
なお、上述のような本考案の指圧器具１、１´を使用する場合に、図４に黒丸で示すような経穴指圧位置Ｐ、Ｐ…を刷り込んだインナーウェア７ａ、７ｂを着用すれば、所要の経穴指圧位置Ｐに指圧器具１、１´のボール３、３…を的確に押し当てることができ、針灸の専門家のように経穴指圧に詳しくない一般人でも容易に経穴指圧効果を得ることが可能になる。また、上記のような専用のインナーウェア７ａ、７ｂを使用せず、一般のスポーツウェアを代用したい場合には、本考案の指圧器具１の取扱説明書に同図のような経穴指圧位置Ｐ、Ｐ…を示した説明図と、繰り返し使用可能な黒丸シールを同梱し、必要に応じてスポーツウェアに黒丸シールを貼付して指圧器具１、１´を使用するようにしてもよい。
【産業上の利用可能性】
【００２０】
空気封入ボール３、３…は、図５に示すように、大小異なる大きさのボール３、３´、あるいは外表面に多数の凸部Ｔを形成したボール３ａ、３ａ´を、所要数任意に組み合わせ、また各ボールの封入空気圧を高低調整する等を併用して指圧器具を構成することにより、使用者の患部状況、体力、好み等に応じた多種多様な指圧器具を提供することが可能となる。
【図面の簡単な説明】
【００２１】
【図１】指圧器具の全体斜視図である。
【図２】指圧器具の全体斜視図である。
【図３】（ａ）は着座した使用状態を示す斜視図、（ｂ）は仰向けになった使用者の使用状態を示す側面図である。
【図４】（ａ）は経穴指圧位置を刷り込んだインナーウェアの着用状態を示す前面斜視図、（ｂ）は同背面斜視図である。
【図５】（ａ）はボールの種類を示す正面図、（ｂ）は凸部を備えたボールの種類を示す正面図である。
【符号の説明】
【００２２】
１      指圧器具
１´    指圧器具
２      長尺袋体
３      空気封入ボール
３´    空気封入ボール
３ａ    空気封入ボール
３ａ´  空気封入ボール
【図１】
0003103864.tif 000003
【図２】
0003103864.tif 000004
【図３】
0003103864.tif 000005
【図４】
0003103864.tif 000006
【図５】
0003103864.tif 000007